(57)【要約】      （修正有）【課題】  回動防止具に挟持部を周方向の回動を防止すると共に、特にその長手方向のスライドを防止することが可能な管体の回動兼スライド防止構造。【解決手段】  回動防止具の軸線方向である長手方向に沿って一定間隔を隔てて外周面にストッパー用凹溝を形成すると共に、回動防止具に被冠される取付け金具の挟持部には、回動防止具のストッパー用凹溝に被冠するストッパー用凸条であって回動防止具の長手方向のスライドを防止する係止端部を設け、周方向の回動を防止すると共に、長手方向のスライドを阻止する。【選択図】  図１
2006250343.tif 000002
【特許請求の範囲】
【請求項１】
回動防止具の軸線方向である長手方向に沿って一定間隔を隔てて外周面にストッパー用凹溝を形成すると共に、回動防止具に被冠される取付け金具の挟持部には、回動防止具のストッパー用凹溝に被冠するストッパー用凸条であって回動防止具の長手方向のスライドを防止する係止端部を設け、周方向の回動を防止すると共に、長手方向のスライドを阻止することを特徴とする管体の回動兼スライド防止構造
【発明の詳細な説明】
【発明の詳細な説明】
【技術分野】
【０００１】  この発明は、回動防止具に挟持部を周方向の回動を防止すると共に、特にその長手方向のスライドを防止することが可能な管体の回動兼スライド防止構造に関するものである。
【背景技術】
【０００２】  従来、管体１の外周に装着される回動防止具３は、管体１の周方向の回動を阻止する手段ために、例えば、図２，図４に示すような回動防止具３が知られている。【０００３】  図２に示すものは、管体１の軸線方向となる長手方向にリング体として外周に回動防止具３が取付けられている。この回動防止具３は、熱収縮性チューブや絶縁テープなどとして巻回されているが、ポリプロピレン樹脂などのような溶融状態の樹脂を、固化状態で管本体２に一体的に付着されている。そして、回動防止具３の外周面は、長手方向に沿ったストッパー用凹溝３ａ・・・が一定間隔で条設されている。【０００４】  一方、回動防止具３には取付け金具４が取付けられている。この取付け金具４は、回動防止具３に嵌合されるＵ字状の挟持部４１と、建物などの固定部材Ｘなどに掛り止められる取付け部４２と、取付け部４２に掛り止められた固定部材Ｘなどを締結する締結部５との組み合わされた構成とされている。【０００５】  取付け金具４の挟持部４１は、その上部及び上部中央部にストッパー用凸条４１ａがその内周面に向けて突設されている。したがって、回動防止具３に被冠された取付け金具４の挟持部４１と回動防止具３とは、取付け金具４の挟持部４１のストッパー用凸条４１ａに回動防止具３の長手方向に沿うストッパー用凹溝３ａが嵌合することとなる。【０００６】  そして、このような取付け金具４の挟持部４１と回動防止具３とは、取付け金具４の開口部４２ａに掛り止められた固定部材Ｘなどを、ネジ通し孔６に図中下方側から挿通するネジ体６ａが螺合されている。このネジ体６ａの螺合により、押圧されて固定部材Ｘが挟持されるのであるが、取付け金具４の締結部５と回動防止具３とは、取付け金具４の挟持部４１のストッパー用凸条４１ａと回動防止具３の長手方向に沿うストッパー用凹溝３ａとが嵌合することとなる。【０００７】  なお、回動防止具３は、図４に示すように構成されてもよい。すなわち、管体１の軸線方向のリング体である管本体２は省略され、回動防止具３に直接取付け金具４が締結されるようにされている。
【発明の開示】
【発明が解決しようとする課題】
【０００８】  ところで、上記のように取付け金具４の締結部５と回動防止具３とが一体的に噛合うためには、取付け金具４の挟持部４１のストッパー用凸条４１ａと回動防止具３の長手方向に沿うストッパー用凹溝３ａとが互いに良好に嵌合することが必要になる。【０００９】  ところが、この回動防止具３は長手方向に沿うようにストッパー用凹溝３ａが条設されており、取付け金具４の挟持部４１のストッパー用凸条４１ａとの嵌合に際しては、周方向の回動は規制できるものの長手方向に沿ったスライドは規制できないこととなる。【００１０】  この取付け部４２の締結部５はネジ体６ａにより固定部材Ｘを圧設するものであり、取付け金具４１の締結部５と回動防止具３とも互いに圧設されるものであるが、両者は互いに面接合するため、周方向の回動を防止することができるが、特に回動防止具３の長手方向に沿ったスライドを防止することができなかった。【００１１】  回動防止具３や取付け金具４の挟持部４１などが、少なくとも表面の摩擦係数を小とするような樹脂部材などにより形成されたりしている場合には、なおさら滑り易くなり、外圧や突然の加圧力などにより不用意に回動防止具３や取付け金具４が動くとなどの事態も予想される。【００１２】  この発明は、上記のような目的を達成するために、回動防止具に挟持部を周方向の回動を防止すると共に、特にその長手方向のスライドを防止することが可能な管体の回動兼スライド防止構造を提供するものである。
【課題を解決するための手段】
【００１３】  この発明は、上記のような目的を達成するために、請求項１記載のように、管体の回動兼スライド防止構造として、
回動防止具の軸線方向である長手方向に沿って一定間隔を隔てて外周面にストッパー用凹溝を形成すると共に、回動防止具に被冠される取付け金具の挟持部には、回動防止具のストッパー用凹溝に被冠するストッパー用凸条であって回動防止具の長手方向のスライドを防止する係止端部を設け、
周方向の回動を防止すると共に、長手方向のスライドを阻止することを特徴とする管体の回動兼スライド防止構造
【発明の効果】
【００１４】  この発明によれば、回動防止具の軸線方向である長手方向に沿って一定間隔に外周面にストッパー用凹溝を形成し、回動防止具に被冠される取付け金具の挟持部には回動防止具のストッパー用凹溝に被冠するストッパー用凸条であって回動防止具の長手方向のスライドを防止するように係止端部を設け、周方向の回動を防止することができると共に、長手方向のスライドも防止することができ、互いの面接合により外圧や突然の加圧力などにより不用意に回動防止具と取付け金具との嵌合が動くことがない。
【発明を実施するための最良の形態】
【００１５】  以下、この発明の実施例を図面に基づき詳細に説明する。図１は、管本体の一例を示す説明図である。図面の符号において、従来と同一の符号は同一の符号により説明する。【００１６】  図２に示すように、管体１に設けられる回動防止具３は、この回動防止具３を挟持して固定部材Ｘを支持する取付け金具４とによって構成される。回動防止具３は、管本体２の外周に固着される所定長のリング体として形成されており、その外周面には管本体２の長手方向に沿って条設されるストッパー用凹溝３ａが一定間隔で穿設されている。【００１３】  すなわち、回動防止具３の断面形状は、図３に示すように、一定の厚みを以って形成された回動防止具３の外周面に所定幅の凹凸が繰り返される形状となっており、これにより取付け金具４に対する管本体２の取付けは３６０度のいずれでもよく、取付けの際の使い勝手に優れるものである。【００１４】  取付け金具４は、回動防止具３に嵌合されるＵ字状の挟持部４１と、建物などの固定部材Ｘに掛り止められる取付け部４２と、この取付け部４２に設けられ挟持部４１に嵌合された回動防止具３と取付け部４２に掛り止められた固定部材Ｘを締結する締結部５とが一体的に構成されている。【００１５】  取付け金具４の挟持部４１は、その内面に回動防止具３のストッパー用凹溝３ａに嵌合されるストッパー用凸条４１ａが突設されている。取付け金具４の取付け部４２は、固定部材Ｘを挿通することができるようにコ字状の開口部４２ａが開設されている。締結部５は、取付け部４２の開口部４２ａにおける上下縁辺に設けられたネジ通し孔６ａに、図中下方側からネジ体６を螺合させて構成されている。【００１６】  尚、固定部材Ｘとしては種々のものがあるが、例えば建物の場合には、建物の天井Ａの裏面側に野縁や野縁受けなどにより構成される支持部材が敷設され、この野縁受け間に固定部材Ｘが懸け渡されるものなどがある。【００１７】  一方、回動防止具３は滑り止め作用と絶縁作用を果たすものであればよいが、この実施例においては、管本体２の外周面に予め凹凸を形成し、この部分にポリプロピレン樹脂により形成された回動防止具３が取付け形成されている。【００１８】  したがって、溶融状態にある樹脂部材が、管本体２の外周面に形成された凹凸部分に付着して固化されるため、回動防止具３は、管本体２の外周面に不動状態で固着されることとなる。尚，管本体２と回動防止具３との固着は適宜設計変更が可能であり、接着剤を介して固着させてもよいし、管本体２側からの突出部などにより回動防止具３を規制するようにしてもよい。【００１９】  Ｕ字状の挟持部４１は、その内面に回動防止具３のストッパー用凹溝３ａに嵌合されるストッパー用凸条４１ａが突設されている。このストッパー用凸条４１ａは、挟持部４１の長手方向に沿ったその端部をＵ字状とする長方形の溝部として形成されており、さらにこのストッパー用凸条４１ａの端部は、回動防止具３のストッパー用凹溝３ａとの間で回動防止具３の長手方向に対するスライドを阻止する、すなわち周方向ではない、係止端部７が設けられている。【００２０】  この係止端部７は、挟持部４１が回動防止具３を挟持したときに回動防止具３の長手方向のスライ���を阻止すべく、長手方向に沿ったその端部が回動防止具３に屈曲するように形成されている。この屈曲部分により回動防止具３の長手方向のスライドは、面圧により引っ掛かりを生じ良好にスライドを阻止させることがない。【００２１】  このように、この実施例によれば、管本体２の外周に回動防止具３が不動状態で固着されるとともに、この回動防止具３の外周面に管本体２の長手方向に沿うようにストッパー用凹溝３ａが形成され。かつ、このストッパー用凹溝３ａ内に管本体２を挟持しつつ固定部材Ｘに掛り止められる取付け金具４の挟持部４１に形成されたストッパー用凸条４１ａが嵌合されると共に、挟持部５が回動防止具３を挟持した際に係止端部７により回動防止具３の長手方向のスライドするよう構成されている。【００２２】  このため、管本体２の取付け，取り外し時に、異常な回動力が加わった場合でも管本体２の回動が防止されて捩れが防止され、管本体２の破損を防止すると共に、管本体２と取付け金具４との絶縁を確保して電蝕を防止すると共に、回動防止具３と挟持部４１とを周方向の回動を阻止することができ、且つ、長手方向のスライドを阻止することができる。
【図面の簡単な説明】
【００２３】
【図１】  取付け金具とその挟持部の拡大部分を示す説明図である。
【図２】  取付け金具と回動防止具と管本体との関係を示す説明図である。
【図３】  図２のＡ−Ａ線断面図である。
【図４】  取付け金具と回動防止具との関係を示す説明図である。
【図５】  図４のＡ−Ａ線断面図である。
【符号の説明】
【００２４】１      管体
２      管本体
３      回動防止具
３ａ    ストッパー凹溝
４      取付け金具
４１    挟持部
４１ａ  ストッパー用凸条
４２    取付け部
４２ａ  コ字状の開口部
５      締結部
７      係止端部
【図１】
2006250343.tif 000003
【図２】
2006250343.tif 000004
【図３】
2006250343.tif 000005
【図４】
2006250343.tif 000006
【図５】
2006250343.tif 000007